(57)【特許請求の範囲】
【請求項１】
規格書を記録したコンピュータ読み取り可能な記録媒体であって、
前記規格書は、複数のファイルにそれぞれ形式の異なるフォーマットで同一規格が記録され、
前記複数のファイルは、前記規格の規格番号に対応する同一のファイル名を拡張子を異にして記録され、前記複数のファイル内に前記規格に記載されている表または付表の各欄に対応する図面が記録されたファイルをそれぞれ有し、前記図面は、少なくとも基準点を有してなることを特徴とする規格書を記録したコンピュータ読み取り可能な記録媒体。
【請求項２】
前記形式の異なるフォーマットが拡張子ＤＸＦ形式、拡張子ＩＧＥＳ形式、および拡張子ＤＷＦ形式であることを特徴とする請求項１記載の規格書を記録したコンピュータ読み取り可能な記録媒体。
【請求項３】
前記規格書が日本工業規格であることを特徴とする請求項１または請求項２記載の規格書を記録したコンピュータ読み取り可能な記録媒体。
【発明の詳細な説明】
【０００１】
【発明の属する技術分野】
本発明は、日本工業規格（以下ＪＩＳと略称する）を有効に利用する技術に関する。
【０００２】
【従来の技術】
ＪＩＳは、ほぼすべての分野に制定されており、現在は印刷物として販売されている。ＪＩＳに基づく製品の設計にあたり、ＪＩＳに記載されている図面データを用いる場合があり、その場合、例えばＣＡＤソフトに設計者がＪＩＳデータを文書より再入力して用いている。
【０００３】
【発明が解決しようとする課題】
しかしながら、ＪＩＳにおける図面データは、通常寸法線は別表として表示されていることが多く、また、基準点が指定されていないため、図面データをそのままＣＡＤソフトに取り込むことが困難であるという問題がある。
また、図面データを取り込むためのＣＡＤソフトは高価であり、一般のパソコンに導入されていることが少ない。そのため、通常のワープロや表計算にＪＩＳの図面データを取り込むことができないという問題がある。
【０００４】
本発明は、このような問題に対処するためになされたもので、ＪＩＳデータをコンピュータを用いて容易に検索できると共に、図面データをそのままＣＡＤソフトあるいは閲覧ソフト上で読み取ることのできるＪＩＳデータを記録したコンピュータ読み取り可能な記録媒体を提供することを目的とする。
【０００５】
【課題を解決するための手段】
請求項１に係るコンピュータ読み取り可能な記録媒体は、複数のファイルにそれぞれ形式の異なるフォーマットで同一規格が記録され、上記複数のファイルは、上記規格の規格番号に対応する同一のファイル名を拡張子を異にして記録され、上記複数のファイル内に上記規格に記載されている表または付表の各欄に対応する図面が記録されたファイルをそれぞれ有し、上記図面は、少なくとも基準点を有してなることを特徴とする。ここで基準点とはＣＡＤソフトでの原点ともいわれる点をいう。
【０００６】
請求項２に係る規格書を記録したコンピュータ読み取り可能な記録媒体は、上記形式の異なるフォーマットが拡張子ＤＸＦ形式、拡張子ＩＧＥＳ形式、および拡張子ＤＷＦ形式であることを特徴とする。
【０００７】
請求項３に係る規格書を記録したコンピュータ読み取り可能な記録媒体は、上記規格書がＪＩＳであることを特徴とする。
【０００８】
本発明は、上記のデータ配列構造を有するため、ＣＡＤソフトが組み込まれたコンピュータにおいて、またはそのようなＣＡＤソフトが組み込まれていない場合であっても閲覧ソフトが組み込まれているコンピュータにおいて、ＪＩＳなどの規格に記載されている図面データをＣＡＤデータとして設計図面に直接挿入することができ、設計作業効率を大幅に向上させることができる。
また図面データにカタログ的要素、例えば寸法線、仕様、三面図、イメージ図を付加することが容易であるので、図面データとしての使い勝手が大幅に向上する。
【０００９】
【発明の実施の形態】
図１は、本発明の記録媒体に記録されるＪＩＳデータ構造の構成図である。
ＪＩＳデータは、コンピュータ読み取り可能な記録媒体、例えばＣＤ−ＲＯＭ、ＣＤ−Ｒ、フロッピーディスク、ハードディスク、ＭＯ、ＺＩＰ、ＤＶＤ、テープ媒体等に形式の異なるフォーマットで同一規格がそれぞれ複数のファイルに記録されている。記録媒体としては随時書き込みが可能なＣＤ−Ｒが規格改正などに伴って追加することができるため、好ましい媒体である。
また、フロッピーディスクは、殆どのパソコンで利用できる媒体であるので、このフロッピーディスク１枚に１規格を記録させることにより、ユーザが実際に自分が使うデータだけを提供することができ、利用価値を高めることができる。
【００１０】
図１において、ＪＩＳと他の規格書が共存する場合、ＪＩＳファイル１が作成され、この下にＪＩＳの規格番号を基本に一つのファイル２が作成される。例えば、Ｂ１１８０Ｍ１２というファイル名は、ＪＩＳ  Ｂ１１８０  Ｍ１２  六角ボルトを意味する。このことにより、検索用エンジンなどを使用しないでも内容検索が容易となる。
【００１１】
ファイル２の下に同一のファイル名を有する複数のファイル３ａ、３ｂ、３ｃが形式の異なるフォーマットで拡張子を異にして記録される。さらに、ファイル３ａ、３ｂ、３ｃそれぞれの下に同一内容のファイル４が記録されている。ファイル４は例えば表または付表の各欄に対応するファイル名で記録される。
ファイル形式としては、ＤＸＦ形式のデータ、ＩＧＥＳ形式のデータ、ＤＷＦ形式のデータ、およびＢＭＰ形式のデータであることが、各種ソフトを利用する上で好ましい。特に、ＣＡＤデータを利用する上でＤＸＦ形式のデータ、ＩＧＥＳ形式のデータおよびＤＷＦ形式のデータであることが好ましい。
【００１２】
本発明の記録媒体に記録される他のＪＩＳデータ構造の構成図を図２に示す。
図２において、ＪＩＳの規格番号を基本に作成される一つのファイル２は、形式の異なるフォーマットで拡張子を異にして記録される複数のデータファイル３ａ、３ｂ、３ｃ内にそれぞれ記録され、ファイル４がファイル２内にそれぞれ記録される。このようなデータ構造とすることにより、一種類のソフトを使用している場合、検索が容易となり、使い勝手が向上する。
【００１３】
ＤＸＦ形式のデータは、Ａｕｔｏ  ｄｅｓｋ社のＣＡＤソフトに用いられている中間ファイルであるが、二次元ＣＡＤデータの中心的存在で、多くのソフトバイザーがこの中間ファイルを標準扱いしてコンバータを開発しているため、世界標準といえるファイル形式であり、利用価値の高いファイル形式である。
【００１４】
ＩＧＥＳ形式のデータは、二次元ＣＡＤデータの中心的存在であるＤＸＦ形式に対して、三次元ＣＡＤデータの標準といえるファイル形式である。米国規格協会（ＡＮＳＩ）が制定した中間ファイルフォーマットの一つであり、ＤＸＦ変換が二次元ＣＡＤデータの中心的存在となるまで、このＩＧＥＳ形式のデータが中心的存在であった。
ＣＡＤデータを三方向、四方向、あるいは多方向からみた図面をＩＧＥＳ形式のデータとして記録することにより、ＪＩＳデータを三次元ＣＡＤデータとして利用することが容易となる。
【００１５】
ＤＷＦ形式のデータは、ＤＸＦ形式のデータなどのベクタデータをｗｅｂブラウザ上で読むことができ、ワープロソフト等での二次利用も可能な形式である。ただし、ＤＷＦ形式のデータは、「Ｔｈｅ  Ｗｈｉｐ」ソフトを組み込む必要があるが、このソフトは、インターネット上で容易にダウンロードができ、いったんダウンロードすれば、そのパソコンで自由にＤＷＦ形式のデータをＣＡＤソフトがない場合でも利用することができる。
【００１６】
ＤＸＦ形式のデータ、ＩＧＥＳ形式のデータおよびＤＷＦ形式のデータにて、同一ＪＩＳデータをそれぞれのファイル内に記録する。その場合、ＪＩＳにおけるテキスト部分もそれぞれの形式のデータとして記録保存される。
また、ＪＩＳに記載されている表または付表の各欄に対応する図面が記録されたファイルを上述のＤＸＦ形式のデータ、ＩＧＥＳ形式のデータおよびＤＷＦ形式のデータにて保存する。この図面をＪＩＳ  ＣＡＤデータライブラリーとして利用することができる。
【００１７】
本発明においては、少なくとも基準点を有する図面データとすることにより、種々のＣＡＤソフトや閲覧ソフトへの読み込みが容易となる。ＣＡＤデータの最も多い使い方に、ＣＡＤデータを既存図面に取り込む方法がある。この場合、基準点が指定されていないと、取り込みに際して、モニター画面のどこに取り込んだ図面が配置されたかが分からない状態になるため、図面の取り込みが複雑になる。しかし、本発明においては、基準点を有する図面データであるので、既存図面への取り込むに際して、具体的に配置すべき場所に指定することが可能となり、利用価値が増大する。
【００１８】
本発明は、ＤＸＦ形式のデータ、ＩＧＥＳ形式のデータおよびＤＷＦ形式の図面データに、さらに寸法線、製品に関する仕様または注記、多面図、イメージ図などをそれぞれ記録することが好ましい。これらは、ＣＡＤデータとしての内容にカタログ的な内容を追加することによりＪＩＳデータの使い勝手をより向上させる。
【００１９】
ＪＩＳ図面には、寸法線が記載されていないが、ある製品を設計する場合、設計者は常に製品の各寸法を頭に入れて仕事をしている。このため、寸法線が記載されているＪＩＳ図面であると、設計者は視覚的に寸法を把握することができ、設計・製図作業の大幅な効率向上が期待できる。また、寸法線が必要ないＣＡＤデータとして利用する場合には、通常のＣＡＤソフト上で容易に寸法線を消去することができる。寸法線を入れることにより、ＣＡＤソフトを持たない場合であっても製品カタログ、部品マニュアル、顧客、ベンダーへのプレゼンテーションなどに直接利用することができる。
また、製品に関する仕様または注記を記載することにより、カタログ的要素を高めることができ、ＪＩＳデータの使い勝手をより向上させる。
さらに、多面図をＣＡＤデータに同時に記録することにより、ＣＡＤ図面における様々な方向や位置での取り込みに対応できる。多面図に加えて、イメージ図を加えることにより、図面の見方になれていない人でも製品の形状をより良く理解することができる。
【００２０】
寸法線および多面図を記録したデータの一例を図３に示す。図３はＪＩＳ  Ｂ１１８１  六角ナットの一例である。
文書によるＪＩＳにおいては、（ａ２）および（ｂ２）に示す図面は記載されていないが、設計図の場合、この方向からみるのが基本なので、本発明においては、ＣＡＤデータとして追加して記録しておくことにより、寸法線の記載と共に、ＪＩＳデータの使い勝手をより向上させることができる。
また、図４はＪＩＳ  Ｂ  ２７０６  重荷重用皿ばねの一例である。
文書によるＪＩＳにおいては、（ｃ）に示す取り付け状態図は記載されていないが、設計的観点よりＣＡＤデータとして追加して記録しておくことができる。
【００２１】
本発明の記録媒体を利用する例について図５により説明する。図５は、本発明の記録媒体としてフロッピーディスクを利用する場合のフローチャートの一例である。
フロッピーディスクをコンピュータのＦＤ用ドライブ、例えばＡドライブに挿入することにより、ディスク内に記録されているＪＩＳデータを順次表示させることができる。また、すべてのデータは、ＣＡＤソフト上で、あるいは、閲覧ソフト上で利用できるデータとして記録されているので、表示されたデータはＣＡＤ設計図面に直接挿入することができる。
【００２２】
本発明は、殆どすべてのＣＡＤデータを利用することのできるソフトに応用することができるので、ＪＩＳ以外にもＣＡＤデータを用いる規格書に応用することができる。
【００２３】
【発明の効果】
本発明に係るコンピュータ読み取り可能な記録媒体は、複数のファイルにそれぞれ形式の異なるフォーマットで同一規格が拡張子を異にして記録され、規格の表または付表の各欄に対応する図面が少なくとも基準点を有してなるので、ＣＡＤ設計図面に直接データを取り込むことができる。その結果、設計作業効率を大幅に向上させることができる。
【００２４】
また、形式の異なるフォーマットが拡張子ＤＸＦ形式、拡張子ＩＧＥＳ形式、および拡張子ＤＷＦ形式であるので、殆どすべてのＣＡＤソフト、あるいは閲覧ソフトが組み込まれているコンピュータにおいて、利用することができる。拡張子ＤＷＦ形式で記録されているので、閲覧ソフトが利用できることにより、ＣＡＤソフトを持たない場合であってもＣＡＤデータを利用することができる。
【００２５】
規格書がＪＩＳであることにより、ＪＩＳの体系化された規格番号を利用することができ、本発明に係るコンピュータ読み取り可能な記録媒体の一層の利用価値が高まる。
【図面の簡単な説明】
【図１】本発明の記録媒体に記録されるＪＩＳデータ構造の構成図である。
【図２】本発明の記録媒体に記録される他のＪＩＳデータ構造の構成図である。
【図３】寸法線および多面図を記録したデータの一例を示す図である。
【図４】ＪＩＳ  Ｂ  ２７０６  重荷重用皿ばねの一例を示す図である。
【図５】フローチャートの一例である。
【符号の説明】
１  ＪＩＳファイル
２  ＪＩＳ規格番号ファイル
３  拡張子を異にして記録される複数のファイル
４  同一内容のファイル
【図１】
0004272280.tif 000002
【図２】
0004272280.tif 000003
【図３】
0004272280.tif 000004
【図４】
0004272280.tif 000005
【図５】
0004272280.tif 000006